(57)【要約】【課題】ユーザがどの場所で就寝しても、ユーザが起床していない場合に、設定時刻が到来したことを通知することができる携帯端末を提供すること。【解決手段】携帯端末（１）は、画像を撮影する撮影部（４０）と、予め設定された設定時刻に画像を撮影するように撮影部（４０）を制御する設定時刻撮影制御部（１６１）と、予め撮影された設定場所の画像と設定時刻に撮影された画像とが一致した場合に、設定時刻が到来したことを通知する通知制御部（６２）と、を具備している。【選択図】図１
2016134689.tif 000002
【特許請求の範囲】
【請求項１】
画像を撮影する撮影部と、
予め設定された設定時刻に画像を撮影するように前記撮影部を制御する設定時刻撮影制御部と、
予め撮影された設定場所の画像と前記設定時刻に撮影された画像とが一致した場合に、前記設定時刻が到来したことを通知する通知制御部と、
を具備することを特徴とする携帯端末。
【請求項２】
アラームを鳴動するアラーム部、
を更に具備し、
前記通知制御部は、
前記設定場所の画像と前記設定時刻に撮影された画像とが一致した場合に、前記設定時刻にアラームが鳴動するように前記アラーム部を制御する設定時刻アラーム通知制御部、
を具備することを特徴とする請求項１に記載の携帯端末。
【請求項３】
アラーム鳴動後に、予め設定された設定間隔で画像を撮影するように前記撮影部を制御する設定間隔撮影制御部、
を更に具備し、
前記通知制御部は、
前記設定場所の画像と前記設定間隔で撮影された画像とが一致した場合に、アラームが鳴動するように前記アラーム部を制御する設定間隔アラーム通知制御部、
を具備することを特徴とする請求項２に記載の携帯端末。
【請求項４】
前記設定間隔撮影制御部は、アラーム鳴動後のスヌーズ動作において、前記設定間隔で画像を撮影するように前記撮影部を制御し、
前記設定間隔アラーム通知制御部は、前記設定場所の画像と前記スヌーズ動作において撮影された画像とが一致した場合に、アラームが鳴動するように前記アラーム部を制御することを特徴とする請求項３に記載の携帯端末。
【請求項５】
アプリケーションを起動するアプリケーション起動部、
を更に具備し、
前記通知制御部は、
前記設定場所の画像と前記設定時刻に撮影された画像とが一致した場合に、前記設定時刻に予め設定されたアプリケーションが起動するように前記アプリケーション起動部を制御する設定時刻アプリケーション通知制御部、
を具備することを特徴とする請求項１に記載の携帯端末。
【請求項６】
予め設定された設定時刻に画像を撮影するステップと、
予め撮影された設定場所の画像と前記設定時刻に撮影された画像とが一致した場合に、前記設定時刻が到来したことを通知するステップと、
を具備することを特徴とする携帯端末の設定時刻通知方法。
【発明の詳細な説明】
【技術分野】
【０００１】
本発明は、携帯電話機、スマートフォン、タブレットなどの機能の他に、目覚まし時計の代わりとしても使用される携帯端末、及び、設定時刻通知方法に関する。
【背景技術】
【０００２】
予め設定された設定時刻にアラームを鳴動させる携帯端末が知られている（例えば、特許文献１）。
【０００３】
特許文献１に記載された携帯端末は、ＧＰＳ（Global Positioning System）衛星を利用することにより現在の位置を測位し、その現在の位置によりユーザが自宅に居るか否かを判断する。この携帯端末は、ユーザが自宅に居る場合に、ユーザの就寝時にアラームを設定し、設定時刻にアラームを鳴動させる。
【先行技術文献】
【特許文献】
【０００４】
【特許文献１】特開２０１１−１０９４３２号公報
【発明の概要】
【発明が解決しようとする課題】
【０００５】
しかしながら、特許文献１に記載された携帯端末では、ユーザが起床していても、ユーザ自身がアラームを停止させない限り、アラームが鳴動する。ユーザが起床しているにも関わらず、アラームが鳴動することはユーザにとって煩わしい。
【０００６】
また、特許文献１に記載された携帯端末では、ＧＰＳ衛星を利用することによって得られた位置（現在の位置）によりユーザが自宅に居るか否かを判断しているが、その位置により自宅内の詳細な位置（寝室や居間など）を確認することが困難である。
【０００７】
本発明は、上記従来の問題点に鑑みてなされたものであって、ユーザがどの場所で就寝しても、ユーザが起床していない場合に、設定時刻が到来したことを通知することができる携帯端末、及び、設定時刻通知方法を提供することを目的とする。
【課題を解決するための手段】
【０００８】
本発明の携帯端末は、画像を撮影する撮影部と、予め設定された設定時刻に画像を撮影するように前記撮影部を制御する設定時刻撮影制御部と、予め撮影された設定場所の画像と前記設定時刻に撮影された画像とが一致した場合に、前記設定時刻が到来したことを通知する通知制御部と、を具備することを特徴とする。
【０００９】
本発明の携帯端末の設定時刻通知方法は、予め設定された設定時刻に画像を撮影するステップと、予め撮影された設定場所の画像と前記設定時刻に撮影された画像とが一致した場合に、前記設定時刻が到来したことを通知するステップと、を具備することを特徴とする。
【００１０】
本発明のコンピュータプログラムは、携帯端末の設定時刻通知方法の各ステップをコンピュータに実行させることを特徴とする。
【発明の効果】
【００１１】
本発明によれば、ユーザがどの場所で就寝しても、ユーザが起床していない場合に、設定時刻が到来したことを通知することができる。
【図面の簡単な説明】
【００１２】
【図１】本発明の第１実施形態に係る携帯端末１の構成を示すブロック図である。
【図２】本発明の第１実施形態に係る携帯端末１が使用される例を示す概略図である。
【図３】本発明の第１実施形態に係る携帯端末１において、設定時刻の設定を説明するための図である。
【図４】本発明の第１実施形態に係る携帯端末１において、アラームの音量の設定を説明するための図である。
【図５】本発明の第１実施形態に係る携帯端末１において、設定場所２の画像の設定を説明するための図である。
【図６】本発明の第１実施形態に係る携帯端末１の動作（設定時刻通知処理）を示すフローチャートである。
【図７】本発明の第２実施形態に係る携帯端末１の構成を示すブロック図である。
【図８】本発明の第２実施形態に係る携帯端末１において、スヌーズ動作の設定を説明するための図である。
【図９】本発明の第２実施形態に係る携帯端末１の動作（設定時刻通知処理）を示すフローチャートである。
【図１０】本発明の第３実施形態に係る携帯端末１の構成を示すブロック図である。
【図１１】本発明の第３実施形態に係る携帯端末１において、アプリケーション７０の設定を説明するための図である。
【図１２】本発明の第３実施形態に係る携帯端末１の動作（設定時刻通知処理）を示すフローチャートである。
【発明を実施するための形態】
【００１３】
以下、図面を参照しながら本発明の実施形態について説明する。
【００１４】
［第１実施形態］
図１は、本発明の第１実施形態に係る携帯端末１の構成を示すブロック図である。携帯端末１は、表示部１０と、入力部２０と、登録部３０と、撮影部４０と、アラーム部５０と、制御部６０と、スピーカ（図示しない）と、を具備している。携帯端末１としては、携帯電話機、スマートフォン、タブレットなどが例示される。
【００１５】
表示部１０は、ＬＣＤ（Liquid Crystal Display）などの表示デバイスである。例えば、表示部１０は、携帯端末１のおもて面に設けられている。
【００１６】
入力部２０は、キーボード、タッチパネルなどの入力デバイスである。本実施形態では、入力部２０はタッチパネルであり、表示部１０に設けられている。すなわち、表示部１０と入力部２０とは、タッチパネルディスプレイとして使用される。
【００１７】
登録部３０は、不揮発性メモリなどの記憶デバイスである。登録部３０には、コンピュータが実行可能なコンピュータプログラム（図示しない）が格納されている。また、登録部３０には、携帯端末１にインストールされた複数のアプリケーション７０が格納されている。また、登録部３０は、後述の設定が行なわれる時刻設定部１３１、音量設定部１３２、画像設定部１３３を備えている。
【００１８】
撮影部４０は、カメラなどの画像を撮影するデバイスであり、レンズ４１（図２を参照）を備えている。例えば、レンズ４１は、携帯端末１の裏面に設けられている。
【００１９】
アラーム部５０は、上記スピーカとは別に、アラームを鳴動するスピーカなどのデバイスである。
【００２０】
制御部６０は、携帯端末１全体の制御を行なう。例えば、制御部６０は、ＣＰＵ（Central Processing Unit）であり、登録部３０からコンピュータプログラムを読み出して実行する。
【００２１】
制御部６０は、撮影制御部６１と、通知制御部６２と、アプリケーション起動部６３と、を具備している。
【００２２】
アプリケーション起動部６３は、携帯端末１にインストールされた複数のアプリケーション７０の中から、ユーザの所望のアプリケーション７０を入力部２０の操作により選択する。アプリケーション起動部６３は、選択されたアプリケーション７０を起動し、実行したときに、アプリケーション７０を実行したときの画面を表示部１０に表示し、アプリケーション７０を実行したときの音声をスピーカから出力する。
【００２３】
制御部６０において、撮影制御部６１は、設定時刻撮影制御部１６１を具備している。設定時刻撮影制御部１６１は、予め設定された設定時刻に画像を撮影するように撮影部４０を制御する。ここで、設定時刻の設定については後述する。
【００２４】
制御部６０において、通知制御部６２は、予め撮影された設定場所の画像と設定時刻に撮影された画像とが一致した場合に、設定時刻が到来したことを通知する。この通知制御部６２は、設定時刻アラーム通知制御部１６２を具備している。設定時刻アラーム通知制御部１６２は、設定場所の画像と設定時刻に撮影された画像とが一致した場合に、設定時刻にアラームが鳴動するようにアラーム部５０を制御する。ここで、設定場所の設定（設定場所の画像の設定）、アラームの音量の設定については後述する。
【００２５】
図２は、本発明の第１実施形態に係る携帯端末１が使用される例を示す概略図である。例えば、携帯端末１は、ユーザの就寝前に就寝部屋２に置かれ、携帯電話機、スマートフォン、タブレットなどの機能の他に、目覚まし時計の代わりとしても使用される。具体的には、ユーザは、就寝部屋２のベッド３で就寝するときに、携帯端末１に対してアラーム機能を設定し、携帯端末１は、就寝部屋２のテーブル４に置かれる。本実施形態では、就寝部屋２を設定場所とし、予め撮影された設定場所２（就寝部屋）の画像を、設定場所２（就寝部屋）の天井５と天井５に設置された蛍光灯６とを表す画像とし、携帯端末１は、設定場所２（就寝部屋）の画像と設定時刻に撮影された画像とが一致した場合に、設定時刻にアラームを鳴動する。
【００２６】
図３は、本発明の第１実施形態に係る携帯端末１において、設定時刻の設定を説明するための図である。ユーザが就寝前に設定時刻を設定する場合、通知制御部６２は、ユーザの入力部２０の操作により時刻設定画面１１を表示部１０に表示する。時刻設定画面１１は、時刻設定入力欄１１ａを含んでいる。ユーザが所望の時刻「８：３０」（この場合、起床時刻）を時刻設定入力欄１１ａに入力することにより、時刻設定入力欄１１ａに入力された時刻「８：３０」が設定時刻として、登録部３０の時刻設定部１３１に設定される。
【００２７】
図４は、本発明の第１実施形態に係る携帯端末１において、アラームの音量の設定を説明するための図である。ユーザが就寝前にアラームの音量を設定する場合、通知制御部６２は、ユーザの入力部２０の操作により音量設定画面１２を表示部１０に表示する。音量設定画面１２は、音量設定選択欄１２ａを含んでいる。例えば、音量設定選択欄１２ａは、ユーザの入力部２０の操作により、最小の音量を表すレベル１から、最大の音量を表すレベル１０までの１０段階の候補レベルを提示する。ユーザが所望の音量「レベル３」を音量設定選択欄１２ａで選択することにより、音量設定選択欄１２ａで選択された音量「レベル３」が設定音量として、登録部３０の音量設定部１３２に設定される。
【００２８】
図５は、本発明の第１実施形態に係る携帯端末１において、設定場所２の画像の設定を説明するための図である。ユーザが就寝前に設定場所２の画像を設定する場合、撮影制御部６１は、ユーザの入力部２０の操作により、設定場所２（就寝部屋）の画像１３を撮影するように撮影部４０を制御する。その画像１３は、設定場所２（就寝部屋）の天井５と、天井５に設置された蛍光灯６とを表している。ユーザの入力部２０の操作により、就寝前に撮影部４０により撮影された画像１３が設定場所２（就寝部屋）の画像１３として、登録部３０の画像設定部１３３に設定される。
【００２９】
図６は、本発明の第１実施形態に係る携帯端末１の動作（設定時刻通知処理）を示すフローチャートである。
【００３０】
（ステップＳ１１）
設定時刻撮影制御部１６１は、登録部３０の時刻設定部１３１に設定された設定時刻「８：３０」を確認する。
【００３１】
（ステップＳ１２）
ここで、設定時刻「８：３０」が経過していない場合（ステップＳ１２−Ｎｏ）、設定時刻通知処理はステップＳ１１に戻る。一方、設定時刻「８：３０」が経過した場合（ステップＳ１２−Ｙｅｓ）、設定時刻通知処理はステップＳ１３に移行する。
【００３２】
（ステップＳ１３）
設定時刻撮影制御部１６１は、予め設定された設定時刻「８：３０」に画像を撮影するように撮影部４０を制御する。設定時刻通知処理はステップＳ１４に移行する。
【００３３】
（ステップＳ１４）
設定時刻アラーム通知制御部１６２は、携帯端末１の位置を確認する。すなわち、設定時刻アラーム通知制御部１６２は、登録部３０の画像設定部１３３に設定された設定場所２（就寝部屋）の画像１３と、設定時刻「８：３０」に撮影された画像とが一致するか否かを確認する。設定時刻通知処理はステップＳ１５に移行する。
【００３４】
（ステップＳ１５）
ここで、設定場所２（就寝部屋）の画像１３と設定時刻「８：３０」に撮影された画像とが一致した場合（ステップＳ１５−Ｙｅｓ）、設定時刻通知処理はステップＳ１６に移行する。一方、設定場所２（就寝部屋）の画像１３と設定時刻「８：３０」に撮影された画像とが一致しない場合（ステップＳ１５−Ｎｏ）、設定時刻通知処理はステップＳ１７に移行する。
【００３５】
（ステップＳ１６）
設定時刻アラーム通知制御部１６２は、設定場所２（就寝部屋）の画像１３と設定時刻「８：３０」に撮影された画像とが一致した場合には、ユーザがまだ起床していないと判断し、設定時刻「８：３０」に、登録部３０の音量設定部１３２に設定された音量「レベル３」で、アラームが鳴動するようにアラーム部５０を制御する。
【００３６】
（ステップＳ１７）
設定時刻アラーム通知制御部１６２は、設定場所２（就寝部屋）の画像１３と設定時刻「８：３０」に撮影された画像とが一致しない場合には、ユーザが起床して携帯端末１を携帯しながら移動したものと判断し、アラーム部５０を制御しない。すなわち、設定時刻アラーム通知制御部１６２は、アラームを鳴動させない。
【００３７】
以上の説明により、本発明の第１実施形態に係る携帯端末１では、設定場所２（就寝部屋）の画像１３と設定時刻「８：３０」に撮影された画像とが一致しない場合には、ユーザが起床して携帯端末１を携帯しながら移動したものと考えられる。このため、設定場所２（就寝部屋）の画像１３と設定時刻「８：３０」に撮影された画像とが一致しない場合には、携帯端末１はアラームを鳴動させない。このため、特許文献１に記載された携帯端末のような煩わしさは無い。
【００３８】
また、本発明の第１実施形態に係る携帯端末１では、設定場所２（就寝部屋）の画像１３と設定時刻「８：３０」に撮影された画像とが一致した場合には、ユーザがまだ起床していないものと考えられる。このため、設定場所２（就寝部屋）の画像１３と設定時刻「８：３０」に撮影された画像とが一致した場合には、携帯端末１はアラームを鳴動させる。設定場所２（就寝部屋）の画像１３は、就寝前に予め設定されるため、特許文献１に記載された携帯端末のようなＧＰＳ衛星を利用する必要は無い。すなわち、自宅内の詳細な位置（この場合、就寝部屋）を確認することができる。
【００３９】
したがって、本発明の第１実施形態に係る携帯端末１によれば、ユーザがどの場所で就寝しても、ユーザが起床していない場合に、設定時刻が到来したことを通知することができる。
【００４０】
［第２実施形態］
図７は、本発明の第２実施形態に係る携帯端末１の構成を示すブロック図である。第２実施形態では、第１実施形態からの変更点を説明する。
【００４１】
登録部３０は、更に、後述の設定が行なわれるスヌーズ設定部２３１を備えている。
【００４２】
制御部６０において、撮影制御部６１は、更に、設定間隔撮影制御部２６１を具備している。設定間隔撮影制御部２６１は、アラーム鳴動後のスヌーズ動作において、予め設定された設定間隔で画像を撮影するように撮影部４０を制御する。ここで、スヌーズ動作の設定については後述する。
【００４３】
制御部６０において、通知制御部６２は、更に、設定間隔アラーム通知制御部２６２を具備している。設定間隔アラーム通知制御部２６２は、設定場所２（就寝部屋）（図２を参照）の画像１３（図５を参照）とスヌーズ動作において撮影された画像とが一致した場合に、アラームが鳴動するようにアラーム部５０を制御する。
【００４４】
図８は、本発明の第２実施形態に係る携帯端末１において、スヌーズ動作の設定を説明するための図である。ユーザが就寝前にスヌーズ動作を設定する場合、通知制御部６２は、ユーザの入力部２０の操作によりスヌーズ設定画面１４を表示部１０に表示する。スヌーズ設定画面１４は、間隔設定入力欄１４ａと、回数設定入力欄１４ｂと、鳴動時間設定入力欄１４ｃと、を含んでいる。ユーザが所望の間隔「５分」、回数「５回」、鳴動時間「６０秒」をそれぞれ間隔設定入力欄１４ａ、回数設定入力欄１４ｂ、鳴動時間設定入力欄１４ｃに入力することにより、間隔設定入力欄１４ａ、回数設定入力欄１４ｂ、鳴動時間設定入力欄１４ｃにそれぞれ入力された間隔「５分」、回数「５回」、鳴動時間「６０秒」がスヌーズ動作として、登録部３０のスヌーズ設定部２３１に設定される。
【００４５】
図９は、本発明の第２実施形態に係る携帯端末１の動作（設定時刻通知処理）を示すフローチャートである。
【００４６】
例えば、設定時刻通知処理がステップＳ１１からＳ１６まで実行される。設定時刻通知処理はステップＳ２１に移行する。
【００４７】
（ステップＳ２１）
設定間隔撮影制御部２６１は、携帯端末１に対するスヌーズ設定を確認する。すなわち、設定間隔撮影制御部２６１は、登録部３０のスヌーズ設定部２３１にスヌーズ動作が設定されているか否かを確認する。
【００４８】
（ステップＳ２２）
ここで、登録部３０のスヌーズ設定部２３１にスヌーズ動作が設定されていない場合（ステップＳ２２−Ｎｏ）、設定時刻通知処理はステップＳ１７に移行する。一方、登録部３０のスヌーズ設定部２３１にスヌーズ動作（間隔「５分」、回数「５回」、鳴動時間「６０秒」）が設定されている場合（ステップＳ２２−Ｙｅｓ）、設定間隔撮影制御部２６１は、登録部３０のスヌーズ設定部２３１に設定されたスヌーズ動作の間隔「５分」を確認する。
【００４９】
（ステップＳ２３）
ここで、設定間隔撮影制御部２６１は、先にアラームが鳴動してからスヌーズ動作の間隔「５分」が経過するまで待つ（ステップＳ２３−Ｎｏ）。先にアラームが鳴動してからスヌーズ動作の間隔「５分」が経過した場合（ステップＳ２３−Ｙｅｓ）、設定時刻通知処理はステップＳ２４に移行する。
【００５０】
（ステップＳ２４）
設定間隔撮影制御部２６１は、画像を撮影するように撮影部４０を制御する。設定時刻通知処理はステップＳ２５に移行する。
【００５１】
（ステップＳ２５）
設定間隔アラーム通知制御部２６２は、携帯端末１の位置を確認する。すなわち、設定間隔アラーム通知制御部２６２は、登録部３０の画像設定部１３３に設定された設定場所２（就寝部屋）の画像１３と、スヌーズ動作において撮影された画像とが一致するか否かを確認する。設定時刻通知処理はステップＳ２６に移行する。
【００５２】
（ステップＳ２６）
ここで、設定場所２（就寝部屋）の画像１３とスヌーズ動作において撮影された画像とが一致した場合（ステップＳ２６−Ｙｅｓ）、設定時刻通知処理はステップＳ２７に移行する。一方、設定場所２（就寝部屋）の画像１３とスヌーズ動作において撮影された画像とが一致しない場合（ステップＳ２６−Ｎｏ）、設定時刻通知処理はステップＳ１７に移行する。
【００５３】
（ステップＳ２７）
設定間隔アラーム通知制御部２６２は、設定場所２（就寝部屋）の画像１３とスヌーズ動作において撮影された画像とが一致した場合には、ユーザがまだ起床していないと判断し、鳴動時間「６０秒」において、登録部３０の音量設定部１３２に設定された音量「レベル３」で、アラームが鳴動するようにアラーム部５０を制御する。設定時刻通知処理はステップＳ２１に戻る。
【００５４】
ステップＳ２１〜Ｓ２７は、ステップＳ１７が実行されない場合、スヌーズ動作の回数分、すなわち、「５回」実行される。
【００５５】
ステップＳ２１〜Ｓ２７を繰り返す場合、設定間隔アラーム通知制御部２６２は、設定場所２（就寝部屋）の画像１３とスヌーズ動作において撮影された画像とが一致する度に、鳴動するアラームの音が段階的に大きくなるようにアラーム部５０を制御する。例えば、スヌーズ動作の回数が「１回目」、「２回目」、「３回目」、「４回目」、「５回目」である場合、それぞれ、設定間隔アラーム通知制御部２６２は、音量「レベル３」、「レベル４」、「レベル５」、「レベル６」、「レベル７」でアラームが鳴動するようにアラーム部５０を制御する。
【００５６】
以上の説明により、本発明の第２実施形態に係る携帯端末１では、設定場所２（就寝部屋）の画像１３とスヌーズ動作において撮影された画像とが一致しない場合には、ユーザが起床して携帯端末１を携帯しながら移動したものと考えられる。このため、設定場所２（就寝部屋）の画像１３とスヌーズ動作において撮影された画像とが一致しない場合には、携帯端末１はアラームを鳴動させない。このため、特許文献１に記載された携帯端末のような煩わしさは無い。
【００５７】
また、本発明の第２実施形態に係る携帯端末１では、設定場所２（就寝部屋）の画像１３とスヌーズ動作において撮影された画像とが一致した場合には、ユーザがまだ起床していないものと考えられる。このため、設定場所２（就寝部屋）の画像１３とスヌーズ動作において撮影された画像とが一致した場合には、携帯端末１はアラームを鳴動させる。設定場所２（就寝部屋）の画像１３は、就寝前に予め設定されるため、特許文献１に記載された携帯端末のようなＧＰＳ衛星を利用する必要は無い。すなわち、自宅内の詳細な位置（この場合、就寝部屋）を確認することができる。
【００５８】
したがって、本発明の第２実施形態に係る携帯端末１によれば、ユーザがどの場所で就寝しても、ユーザが起床していない場合に、設定時刻が到来したことを通知することができる。
【００５９】
［第３実施形態］
図１０は、本発明の第３実施形態に係る携帯端末１の構成を示すブロック図である。第３実施形態では、第１実施形態からの変更点を説明する。
【００６０】
登録部３０は、更に、後述の設定が行なわれるアプリケーション設定部３３１を備えている。
【００６１】
制御部６０において、通知制御部６２は、設定時刻アラーム通知制御部１６２に代えて、設定時刻アプリケーション通知制御部３６２を具備している。設定時刻アプリケーション通知制御部３６２は、設定場所２（就寝部屋）（図２を参照）の画像１３（図５を参照）と設定時刻「８：３０」（図３を参照）に撮影された画像とが一致した場合に、設定時刻「８：３０」に予め設定されたアプリケーション７０が起動するようにアプリケーション起動部６３を制御する。ここで、アプリケーション７０の設定については後述する。アプリケーション起動部６３がアプリケーション７０を実行したときの音声の音量は、アラームの音量の設定と同じである。
【００６２】
図１１は、本発明の第３実施形態に係る携帯端末１において、アプリケーション７０の設定を説明するための図である。ユーザが就寝前にアプリケーション７０を設定する場合、通知制御部６２は、ユーザの入力部２０の操作によりアプリケーション設定画面１５を表示部１０に表示する。アプリケーション設定画面１５は、音楽プレイヤーに関するアプリケーション７０を選択するアプリケーション選択欄１５ａと、動画プレイヤーに関するアプリケーション７０を選択するアプリケーション選択欄１５ｂと、テレビに関するアプリケーション７０を選択するアプリケーション選択欄１５ｃと、ラジオに関するアプリケーション７０を選択するアプリケーション選択欄１５ｄと、を含んでいる。例えば、ユーザがアプリケーション選択欄１５ｃを選択した場合、テレビに関するアプリケーション７０が予め設定されたアプリケーション７０として、登録部３０のアプリケーション設定部３３１に設定される。
【００６３】
図１２は、本発明の第３実施形態に係る携帯端末１の動作（設定時刻通知処理）を示すフローチャートである。
【００６４】
例えば、設定時刻通知処理がステップＳ１１からＳ１４まで実行される。設定時刻通知処理はステップＳ１５に移行する。
【００６５】
（ステップＳ１５）
ここで、設定場所２（就寝部屋）の画像１３と設定時刻「８：３０」に撮影された画像とが一致した場合（ステップＳ１５−Ｙｅｓ）、設定時刻通知処理はステップＳ３１に移行する。一方、設定場所２（就寝部屋）の画像１３と設定時刻「８：３０」に撮影された画像とが一致しない場合（ステップＳ１５−Ｎｏ）、設定時刻通知処理はステップＳ３２に移行する。
【００６６】
（ステップＳ３１）
設定時刻アプリケーション通知制御部３６２は、設定場所２（就寝部屋）の画像１３と設定時刻「８：３０」に撮影された画像とが一致した場合には、ユーザがまだ起床していないと判断し、設定時刻「８：３０」に、登録部３０のアプリケーション設定部３３１に設定されたアプリケーション７０（テレビ）が起動するようにアプリケーション起動部６３を制御する。アプリケーション起動部６３は、登録部３０のアプリケーション設定部３３１に設定されたアプリケーション７０（テレビ）を起動し、実行したときに、そのアプリケーション７０（テレビ）を実行したときの画面を表示部１０に表示し、そのアプリケーション７０（テレビ）を実行したときの音声を、登録部３０の音量設定部１３２に設定された音量「レベル３」で、スピーカから出力する。
【００６７】
（ステップＳ３２）
設定時刻アプリケーション通知制御部３６２は、設定場所２（就寝部屋）の画像１３と設定時刻「８：３０」に撮影された画像とが一致しない場合には、ユーザが起床して携帯端末１を携帯しながら移動したものと判断し、アプリケーション起動部６３を制御しない。すなわち、設定時刻アラーム通知制御部１６２は、アプリケーション７０（テレビ）を起動させない。
【００６８】
以上の説明により、本発明の第３実施形態に係る携帯端末１では、設定場所２（就寝部屋）の画像１３と設定時刻「８：３０」に撮影された画像とが一致しない場合には、ユーザが起床して携帯端末１を携帯しながら移動したものと考えられる。このため、設定場所２（就寝部屋）の画像１３と設定時刻「８：３０」に撮影された画像とが一致しない場合には、携帯端末１はアプリケーション７０を起動させない。このため、特許文献１に記載された携帯端末のような煩わしさは無い。
【００６９】
また、本発明の第３実施形態に係る携帯端末１では、設定場所２（就寝部屋）の画像１３と設定時刻「８：３０」に撮影された画像とが一致した場合には、ユーザがまだ起床していないものと考えられる。このため、設定場所２（就寝部屋）の画像１３と設定時刻「８：３０」に撮影された画像とが一致した場合には、携帯端末１はアプリケーション７０を起動させる。設定場所２（就寝部屋）の画像１３は、就寝前に予め設定されるため、特許文献１に記載された携帯端末のようなＧＰＳ衛星を利用する必要は無い。すなわち、自宅内の詳細な位置（この場合、就寝部屋）を確認することができる。
【００７０】
したがって、本発明の第３実施形態に係る携帯端末１によれば、ユーザがどの場所で就寝しても、ユーザが起床していない場合に、設定時刻が到来したことを通知することができる。
【００７１】
以上、この発明の実施形態について図面を参照して詳述してきたが、具体的な構成は実施形態に限られるものではなく、この発明の要旨を逸脱しない範囲の設計等も特許請求の範囲に含まれる。
【符号の説明】
【００７２】
１  …  携帯端末
２  …  設定場所（就寝部屋）
３  …  ベッド
４  …  テーブル
５  …  天井
６  …  蛍光灯
１０  …  表示部
１１  …  時刻設定画面
１１ａ  …  時刻設定入力欄
１２  …  音量設定画面
１２ａ  …  音量設定選択欄
１３  …  画像
１４  …  スヌーズ設定画面
１４ａ  …  間隔設定入力欄
１４ｂ  …  回数設定入力欄
１４ｃ  …  鳴動時間設定入力欄
１５  …  アプリケーション設定画面
１５ａ  …  アプリケーション選択欄
１５ｂ  …  アプリケーション選択欄
１５ｃ  …  アプリケーション選択欄
１５ｄ  …  アプリケーション選択欄
２０  …  入力部
３０  …  登録部
４０  …  撮影部
４１  …  レンズ
５０  …  アラーム部
６０  …  制御部
６１  …  撮影制御部
６２  …  通知制御部
６３  …  アプリケーション起動部
７０  …  アプリケーション
１３１  …  時刻設定部
１３２  …  音量設定部
１３３  …  画像設定部
１６１  …  設定時刻撮影制御部
１６２  …  設定時刻アラーム通知制御部
２３１  …  スヌーズ設定部
２６１  …  設定間隔撮影制御部
２６２  …  設定間隔アラーム通知制御部
３３１  …  アプリケーション設定部
３６２  …  設定時刻アプリケーション通知制御部
【図１】
2016134689.tif 000003
【図２】
2016134689.tif 000004
【図３】
2016134689.tif 000005
【図４】
2016134689.tif 000006
【図５】
2016134689.tif 000007
【図６】
2016134689.tif 000008
【図７】
2016134689.tif 000009
【図８】
2016134689.tif 000010
【図９】
2016134689.tif 000011
【図１０】
2016134689.tif 000012
【図１１】
2016134689.tif 000013
【図１２】
2016134689.tif 000014